(57)【要約】【目的】本発明は、利用期間の経過とともに破砕生ごみを分解処理する場へ向けて流動なさしめる流通路内に付着量が累積的に増大した付着破砕生ごみを容易且つ迅速に除去可能な構造となした生ごみ処理装置を提供することを目的とする。【解決手段】破砕生ごみ内部流通路２９を分解処理装置６７内に取り込み該破砕生ごみ内部流通路２９に対する破砕生ごみの供給を分解処理装置６７を構成する脱着自在なバルブカバ−４７を介して行う。メインテナンスをなす際には、バルブカバ−４７を分解処理装置６７から取り外し破砕生ごみ内部流通路２９が外部に露出して外部から直接観察可能とし、利用者は、棒等の簡易な除去手段で直接的に破砕生ごみ内部流通路２９に付着している破砕生ごみを除去できる構造とする。【特許請求の範囲】
【請求項１】
微生物のコロニ−となる多数の着床材を相互に多方向に移動可能に保持するとともに破砕生ごみ以外は排出する回転ドラムと該回転ドラムの回転中心軸線と一致なさしめた位置に支持ピン取付用穴が穿設され該回転ドラムの裏側と対面接触なさしめて配設された裏側ドラムカバ−と外周に回転力受動歯が設けられるとともに該回転ドラムの回転中心軸線と一致なさしめた位置に支持フランジ取付用穴が穿設され該回転ドラムの正面側と対面接触なさしめて配設された正面側ドラムカバ−とからなる着床材多方向移動機構と、該正面側ドラムカバ−と対面する内方側であって前記回転中心軸線上に流通穴が設けられたドラム支持部材が取付られ且つ該流通穴と連通された連結穴が設けられ頭部が前記支持フランジ取付用穴に嵌通され胴部がドラム支持部材により支持されて回転ドラムの正面側を回転中心軸線と一致なさしめて回転可能に支持なさしめた支持フランジが設けられ更に該支持フランジと連結された導入筒体が設けられ外方側に流路途上に前記流通穴と連通なさしめた内部流入口と内部流出口が穿設された破砕生ごみ内部流通路が設けられ正面側ドラムカバ−より大きく形成された正面側タンク部材と裏側ドラムカバ−と対面する内方側に頭部を前記支持ピン取付用穴に嵌入なさしめて回転ドラムの裏側を回転中心軸線と一致なさしめて回転可能に支持する支持ピンが取付られ前記着床材多方向移動機構を介して該正面側タンク部材と対面なさしめて設けられた裏側タンク部材と該正面側タンク部材該裏側タンク部材それぞれの内方側外周壁と密封接触なさしめて該正面側タンク部材と該裏側タンク部材間に水平に設けられたタンク本体部材と該正面側タンク部材該裏側タンク部材該タンク本体部材それぞれの頂部間と密封接触なさしめて設けられたタンク天井部材とからなるタンクと、一定間隔をあけて中継流入口と中継流出口が設けられ該中継流入口と該中継流出口それぞれが前記破砕生ごみ内部流通路と連通なさしめて前記正面側タンク部材と脱着可能に連結されたバルブカバ−と、前記破砕生ごみ流通路の内部流入口が設けられた流路と内部流出口が設けられた流路間に開閉可能となして設けられた切換弁と該切換弁と連動連結なさしめてバルブカバ−に設けられた切換弁開閉動作用モ−タ−とからなる切換弁開閉機構と、先端部に前記回転力受動歯と噛合なさしめた回転力伝達歯を設けしめてタンク内に水平となして回転力伝達軸が配設され本体部が正面側タンク部材に取付られた回転ドラム動作用モ−タ−と、から構成された分解処理装置と、
台所のシンクの排出孔に連結され破砕生ごみ流出口が前記バルブカバ−の前記中継流入口と間近に対面なさしめて設けられたディスポ−ザ−と、
該ディスポ−ザ−の破砕生ごみ流出口と該中継流入口とを連通なさしめて設けられた接続部材と、
から構成されていることを特徴とする生ごみ処理装置。
【発明の詳細な説明】
【０００１】
【発明の属する技術分野】
本発明は、ディスポ−ザ−により破砕された生ごみを分解処理がされる場に向けて流動する際に流通路内に破砕された生ごみの極一部が付着するが、利用期間の経過とともに流通路内への付着量が累積的に増大して流動断面積が狭小化し破砕された生ごみのスム−ズな流動を妨げる状況を排除するメインテナンス作業を簡易且つ容易にすることを可能ならしめた生ごみ処理装置に関する。
【０００２】
【従来の技術】
台所で食材の調理により日々発生する生ごみを処理して快適な生活環境を維持し向上させるといった社会的要請があることから、例えば、特開平８−３１８２５２号公報、特開平１０−６６９５２号公報、及び特開平１１−６４１号公報にそれぞれ開示された生ごみ処理装置が内包していた複雑で大掛かりであって高価なメンテナンスを必要とするばかりでなく性能が不安定であるといった技術的課題を解決した、特開２００２−１２８１号公報に開示された生ごみ処理装置がある。
【０００３】
該生ごみ処理装置は、台所のシンクの排出孔に連結されたディスポ−ザ−と、破砕された生ごみを分解処理する微生物と該微生物のコロニ−となる多数の着床材と多数の該着床材を相互に移動可能に保持するとともに破砕された生ごみ以外は排出する回転ドラムと該回転ドラムを密閉状態で保持するハウジングとからなる分解処理部と、該ディスポ−ザ−と該分解処理部とを連結する連結パイプと、該連結パイプの下流側に設けられ該ディスポ−ザ−が破砕動作時に該ディスポ−ザ−から排出される排液が分解処理部に供給され該ディスポ−ザ−が破砕動作しない時に排出パイプに直接排出されるように動作する切換弁と、分解処理部のハウジングの上部に設けられたガス排出部とから構成されている。
【０００４】
該生ごみ処理装置は、まずディスポ−ザ−を動作させ、水とともにディスポ−ザ−に流入してきた生ごみを可動式ハンマ−で側壁に押し付け生ごみをすりつぶすようにして細かく破砕する。細かく破砕された生ごみは、連結パイプ及びディスポ−ザ−の動作と同期して開動作している切換弁を通って分解処理部に流入し、該分解処理部内で、回転ドラムの回転動作により、多数の着床材と破砕された生ごみが混ぜ合わされ、該破砕された生ごみを着床材に生息している菌により分解処理するものである。
【０００５】
該生ごみ処理装置は、装置全体が小型となり、生ごみ発生直後において分解・消滅させることができ、焼却処理に伴うダイオキシン汚染被害への不安をなくするとともに生ごみの収集の手間を省き、大規模な浄化施設を不要とする点において優れた提案である。
【０００６】
【発明が解決しようとする課題】
しかるに、該生ごみ処理装置を動作させると、ディスポ−ザ−で破砕された生ごみが、ディスポ−ザ−と分解処理部とを連結する連結パイプ内を流動して分解処理部に流入して所定の分解処理がされるが、係る連結パイプ内の流動の途上で破砕された生ごみの一部が連結パイプ内の内壁に付着する。
【０００７】
係る状況下で、生ごみ処理装置を更に使用し続けると、該内壁に付着する破砕された生ごみの付着量が累積的に増大するため、連結パイプ内の流動断面積が狭小化し破砕された生ごみのスム−ズな流動が妨げられ所定の分解処理を実行するのが困難となるので、一定期間使用すると、連結パイプ内に付着している破砕された生ごみを除去するメインテナンスが必要となる。
【０００８】
しかし、該連結パイプが湾曲してディスポ−ザ−と分解処理部とを連結できるのに十分な一定長さに形成されていること及び外部からは破砕された生ごみが付着している位置を把握するのが不可能なことから、ディスポ−ザ−と分解処理部との連結を解除し該連結パイプの上流側端又は下流側端から可撓性のある細長い棒等を連結パイプ内に挿入して手探りで付着している破砕された生ごみを掻き落として除去する清掃作業とならざるを得ず、非常に困難且つ手間のかかるメインテナンス作業を強いられるものであった。
【０００９】
本発明は係る事情に鑑み、ディスポ−ザ−から破砕生ごみを分解処理する場へ向けて流動なさしめる通路である流通路内に利用期間の経過とともに付着量が累積的に増大した付着破砕生ごみを容易且つ迅速に除去可能な構造となした生ごみ処理装置を提供することを目的とする。
【００１０】
【課題を解決するための手段】
前記した目的を達成するため本発明が講じた解決手段は、破砕生ごみをディスポ−ザ−から破砕生ごみを分解処理する場に供給する方式を、前記した連結パイプによらず、分解処理をする装置の内部に内部流通路として取り込み、ディスポ−ザ−を分解処理をする装置の極近い位置に配設する。そして、前記したメインテナスス作業をなす際には、ディスポ−ザ−と分解処理する装置とを連結したままで、内部流通路を直接観察できるようにして、利用者が簡易なメインテナンス作業をできるようにしたものである。
【００１１】
具体的には、微生物のコロニ−となる多数の着床材を相互に多方向に移動可能に保持するとともに破砕生ごみ以外は排出する回転ドラムと該回転ドラムの回転中心軸線と一致なさしめた位置に支持ピン取付用穴が穿設され該回転ドラムの裏側と対面接触なさしめて配設された裏側ドラムカバ−と外周に回転力受動歯が設けられるとともに該回転ドラムの回転中心軸線と一致なさしめた位置に支持フランジ取付用穴が穿設され該回転ドラムの正面側と対面接触なさしめて配設された正面側ドラムカバ−とからなる着床材多方向移動機構と、該正面側ドラムカバ−と対面する内方側であって前記回転中心軸線上に流通穴が設けられたドラム支持部材が取付られ且つ該流通穴と連通された連結穴が設けられ頭部が前記支持フランジ取付用穴に嵌通され胴部がドラム支持部材により支持されて回転ドラムの正面側を回転中心軸線と一致なさしめて回転可能に支持なさしめた支持フランジが設けられ更に該支持フランジと連結された導入筒体が設けられ外方側に流路途上に前記流通穴と連通なさしめた内部流入口と内部流出口が穿設された破砕生ごみ内部流通路が設けられ正面側ドラムカバ−より大きく形成された正面側タンク部材と裏側ドラムカバ−と対面する内方側に頭部を前記支持ピン取付用穴に嵌入なさしめて回転ドラムの裏側を回転中心軸線と一致なさしめて回転可能に支持する支持ピンが取付られ前記着床材多方向移動機構を介して該正面側タンク部材と対面なさしめて設けられた裏側タンク部材と該正面側タンク部材該裏側タンク部材それぞれの内方側外周壁と密封接触なさしめて該正面側タンク部材と該裏側タンク部材間に水平に設けられたタンク本体部材と該正面側タンク部材該裏側タンク部材該タンク本体部材それぞれの頂部間と密封接触なさしめて設けられたタンク天井部材とからなるタンクと、一定間隔をあけて中継流入口と中継流出口が設けられ該中継流入口と該中継流出口それぞれが前記破砕生ごみ内部流通路と連通なさしめて前記正面側タンク部材と脱着可能に連結されたバルブカバ−と、前記破砕生ごみ流通路の内部流入口が設けられた流路と内部流出口が設けられた流路間に開閉可能となして設けられた切換弁と該切換弁と連動連結なさしめてバルブカバ−に設けられた切換弁開閉動作用モ−タ−とからなる切換弁開閉機構と、先端部に前記回転力受動歯と噛合なさしめた回転力伝達歯を設けしめてタンク内に水平となして回転力伝達軸が配設され本体部が正面側タンク部材に取付られた回転ドラム動作用モ−タ−と、から構成された分解処理装置と、台所のシンクの排出孔に連結され破砕生ごみ流出口が前記バルブカバ−の前記中継流入口と間近に対面なさしめて設けられたディスポ−ザ−と、該ディスポ−ザ−の破砕生ごみ流出口と該中継流入口とを連通なさしめて設けられた接続部材と、から構成される生ごみ処理装置としたものである。
【００１２】
つぎに、本発明の実施の形態について説明する。
切換弁開閉動作用モ−タ−を一側に動作させると、切換弁が反時計方向に回転し、該切換弁は、バルブカバ−側の中継流入口と連通されている破砕生ごみ内部流通路の上流側流通路と該破砕生ごみ内部流通路の内部流入口間の流通空間が繋がった状態となる。
【００１３】
つぎに、ディスポ−ザ−を動作させると、生ごみが細かく破砕されて破砕生ごみとなる。この後、該破砕生ごみは、接続部材を通ってバルブカバ−側の中継流入口から分解処理装置を構成する正面側タンク部材に設けられた破砕生ごみ内部流通路の上流側に流入し該破砕生ごみ内部流通路内を流動して、反対時計方向に回転した切換弁の表面を通って内部流入口から、ドラム支持部材の流通穴、支持フランジ、導入筒体を順次経由して着床材多方向移動機構を構成する回転ドラム内に流入する。
【００１４】
また、ディスポ−ザ−を動作させるのと略同時に、回転ドラム動作用モ−タ−を動作させると、回転力が回転力伝達軸、回転力伝達歯、回転力受動歯を順次経由して正面側ドラムカバ−に伝達され該正面側ドラムカバ−が一側に回転するため、回転ドラム全体は連動して一側に回転する。
【００１５】
このため、回転ドラム内に流入した破砕生ごみは、該回転ドラムにより多数の着床材それぞれと分散接触するので、各着床材に存する微生物により分解処理され、処理された生ごみは回転ドラム内に滞留する一方、他は回転ドラム外に排出されてタンク外に放出される。
【００１６】
前記した一連の破砕生ごみの処理をなす当初では、破砕生ごみ内部流通路内を流動する破砕生ごみの極一部が該破砕生ごみ内部流通路の内壁に付着しはじめ、前記した一連の破砕生ごみの処理を一定時間継続して実行する間に、該内壁に付着する破砕生ごみの付着量が累積的に増大し、破砕生ごみ内部流通路の流動断面積が狭小化する。
【００１７】
このため、破砕生ごみ内部流通路中を破砕生ごみがスム−ズに流動できなくなり破砕生ごみの一部しか回転ドラム内に流入せず前記した分解処理量が急減するといった障害が生ずる。係る場合、ティスポ−ザ−と分解処理装置との連結を維持したままで、バルブカバ−と正面側タンク部材との連結を解消して該バルブカバ−を分解処理装置から取り外す。
【００１８】
すると、破砕生ごみ内部流通路が外部に露出するので、利用者は、容易に、破砕生ごみが付着している箇所や付着状態を把握可能となる。このため、利用者は、棒等の簡易且つありふれた除去用具を用いて視認により付着している箇所の破砕生ごみを掻き出すといった簡易な除去作業をなせば、破砕生ごみ内部流通路に付着している破砕生ごみが除去される。
【００１９】
このため、破砕生ごみ内部流通路の流動断面積が当初の広さを回復し、破砕生ごみがスム−ズに流動可能となったことから、この後、再度、バルブカバ−と正面側タンク部材とを連結する手順をなすのみで所定のメインテナンス作業が完了し、生ごみ処理装置は、破砕生ごみの分解処理をなせる状態となる。
【００２０】
【実施例】
つぎに、請求項（１）の発明の一実施例を、図面を参照しながら説明する。
図１は請求項（１）の発明の一実施例に係る生ごみ処理装置を正面からみた場合を示し、図２は同実施例に係る生ごみ処理装置を構成する分解処理装置を側面からみた場合を示し、図３は正面側ドラムカバ−の内方側を正面からみた場合を示し、図４は正面側タンク部材の外方側を正面からみた場合を示し、図５は該正面側タンク部材の内方側を正面からみた場合を示し、図６は該正面側タンクを側面からみた場合を示したものである。
【００２１】
また、図７は裏側タンク部材の内方側を正面からみた場合を示し、図８はタンク本体部を縦方向から切断してみた場合を示し、図９は切換弁開閉動作用モ−タ−が設けられたバルブカバ−を正面からみた場合を示し、図１０はドラム支持部材を拡大するとともに縦方向から切断してみた場合を示したものである。
【００２２】
図１及び図２に示すように、３は、所定内容積を確保可能に薄肉円筒状に形成され、図示を省略したが、後述する多数の着床材を相互に多方向に移動可能に保持するとともに外周面が破砕生ごみ以外は排出可能なように多数の網目が設けられた回転ドラムである。
【００２３】
また、図１に示すように、５は、該回転ドラム３の回転中心軸線７と一致なさしめた位置に支持ピン取付用穴９が穿設され該回転ドラム３の裏側３Ａと対面接触なさしめて配設された裏側ドラムカバ−であり、１１は、図１及び図３に示すように、外周１１Ａに所定間隔で多数の回転力受動歯１３が設けられるとともに該回転ドラム３の回転中心軸線７と一致なさしめた位置を中心とする支持フランジ取付用穴１５が穿設され該回転ドラム３の正面側３Ｂと対面接触なさしめて配設された正面側ドラムカバ−である。
【００２４】
図１乃至図３に示すように、前記した回転ドラム３と、裏面側ドラムカバ−５と、正面側ドラムカバ−１１とから着床材多方向移動機構１７が構成されている。尚、該着床材多方向移動機構１７を構成する回転ドラム３内に、破砕生ごみの分解微生物（好気性菌と嫌気性菌）のコロニ−を形成させた多数の着床材が配置され、図示を省略したが、回転中心軸線７に対して傾斜して設けられた複数のラグ板により、回転ドラム３内の着床材及び破砕生ごみが左右に振られて混ぜ合わせ可能なように構成されている。
【００２５】
図１、図２、図３、図４、図５及び図６に示すように、１９は正面側ドラムカバ−１１より大きく形成された正面側タンク部材であって、該正面側ドラムカバ−１１と対面する内方側１９Ａに頭部２１Ａが正面側ドラムカバ−１１に穿設された支持フランジ取付用穴１５に嵌通されて回転ドラム３の正面側３Ｂを回転中心軸線７と一致なさしめて回転可能に支持なさしめ、胴部２１Ｂが、図１０に示すように、後述するドラム支持部材２３の嵌合穴４に嵌合なさしめて設けられ中心側に連結穴２０が穿設された支持フランジ２１を保持している。
【００２６】
また、該正面側タンク部材１９には、取付段部６が取付凹部１９Ｅに嵌合されるとともに複数の取付穴８に図示を省略した取付ボルト等により取付られ中心側に流通穴２２が穿設されたドラム支持部材２３が設けられ、外方側１９Ｂの略一側下方の厚肉部位１９Ｂ１に流路途上に流通穴２２と連通なさしめた内部流入口２５と該内部流入穴２５と異なる位置に内部流出口２７が穿設され、図２及び図４に図示する如く湾曲して刻設された破砕生ごみ内部流通路２９が設けられている。
【００２７】
尚、図１に示すように、１８は、前記支持フランジ２１の連結穴２０と連結され水平に突出するようにして設けられた導入筒体である。
【００２８】
図１、図２及び図５に示すように、該正面側タンク部材１９には、前記厚肉部位１９Ｂ１の下方側に上流側端位置にドレンコック取付用穴３１に装着されたドレンコック３２が、下流側端位置にドレン排出口３３に装着されたドレン排出弁３４をそれぞれ設けしめ且つ上流側を若干高くして傾斜して設けられたドレン排出路３５が設けられている。
【００２９】
また、図２及び図１０に示すように、２６は、該厚肉部位１９Ｂ１と隣接する位置に設けられたカバ−部材であって、下方位置に一定間隔で破砕生ごみの分解微生物が分解作用をなすのに好適な温度になるように後述するタンク４５内に導入されている水を加熱するためのヒ−タ−電源２８とメイン電源３０が設けられ、カバ−上部部位２６Ａに電源ランプ３２が設けられている。
【００３０】
図１及び図７に示すように、３７は、裏側ドラムカバ−５と対面する内方側３７Ａに頭部３９Ａを前記支持ピン取付用穴９に嵌入なさしめて回転ドラム３を裏側から回転中心軸線７と一致なさしめて回転可能に支持する支持ピン３９が取付られ前記着床材多方向移動機構１７を介して該正面側タンク部材１９と対面なさしめて設けられた裏側タンク部材である。
【００３１】
図１、図５、図７及び図８に示すように、４１は、該正面側タンク部材１９該裏側タンク部材３７それぞれの僅かに凹んで形成された内方側外周壁１９Ｃ、３７Ｃそれぞれと密閉接触なさしめて該正面側タンク部材１９と該裏側タンク部材３７間に水平に設けられたタンク本体部材である。
【００３２】
図１、図２、図５、図７及び図８に示すように、４３は、該正面側タンク部材１９の頂部１９Ｄ、該裏側タンク部材３７の頂部３７Ｄ、該タンク本体部材４１の頂部４１Ｄそれぞれと密閉接触なさしめて設けられたタンク天井部材である。
【００３３】
図１及び図２に示すように、前記した該正面側タンク部材１９と、裏側タンク部材３７と、タンク本体部材４１と、タンク天井部材４３と、から本実施例に係るタンク４５が構成され、破砕生ごみを分解処理しつつ前記した回転ドラム３が十分なる余裕を持って回転可能な内容積を有さしめている。尚、図２に示すように、３８は、Ｌ字状に形成され上側中心部に長穴４０が穿設された取付板であり、４２は、地上からのタンク４５の取付位置を上下に変更可能となして該長穴４０の適宜位置に取付られた取付ボルトである。
【００３４】
図１、図２及び図９に示すように、４７は、前記した正面側タンク部材１９の厚肉部位１９Ｂ１と略同厚同形の縦長四角形状に形成されるとともに、一定間隔をあけて中継流入口４９が設けられた流入側接続部材５０と中継流出口５１が設けられた流出側接続部材５２がそれぞれ備えられ、前記破砕生ごみ内部流通路２９の上流側と該中継流入口４９とを、前記破砕生ごみ内部流通路２９の下流側と中継流出口５１とをそれぞれ連通なさしめて、正面側タンク部材１９の厚肉部位１９Ｂ１と図示を省略した脱着可能な複数の連結ボルト等により取付られたバルブカバ−である。
【００３５】
図１及び図２に示すように、５３は、前記破砕生ごみ流通路２９の内部流入口２５が設けられた流路と内部流出口２７が設けられた流路間に開閉可能となして設けられた切換弁５５と、該切換弁５５と連動連結なさしめてバルブカバ−４７に設けられた切換弁開閉動作用モ−タ−５７とからなる切換弁開閉機構である。
【００３６】
図１、図２及び図３に示すように、５９は、先端部に前記した正面側ドラムカバ−１１の回転力受動歯１３と噛合なさしめた回転力伝達歯６１を設けしめてタンク４５内に水平となして回転力伝達軸６３が配設され本体部６５が正面側タンク部材１９の外方側１９Ｂに取付られた回転ドラム動作用モ−タ−である。
【００３７】
図１及び図２に示すように、前記した着床材多方向移動機構１７と、タンク４５と、バルブカバ−４７と、切換弁開閉機構５３と、回転ドラム動作用モ−タ−５９と、から本実施例に係る分解処理装置６７が構成されている。
【００３８】
図１に示すように、６９は、図示を省略したが、円筒内壁で固定されたスリット状若しくは円形の固定刃とモ−タ−で回転する円盤に取付た可動式のハンマ−で構成されたディスポ−ザ−であって、上部の連結部７１を介して台所のシンク７３の排出孔の下部に連結なさしめて設けられている。
【００３９】
図１に示すように、７５は、該ディスポ−ザ−６９の破砕生ごみ流出口７７と該ディスポ−ザ−６９の間近に前記したようにして設けられた前記バルブカバ−４７に設けられた流入側接続部材５０の中継流入口４９とを連通なさしめて略ストレ−トか僅かに中継流入口４９側を下方として設けられた接続部材である。
【００４０】
図１に示すように、前記した分解処理装置６７と、ディスポ−ザ−６９と、接続部材７５と、から請求項（１）の発明の一実施例に係る生ごみ処理装置１が構成されている。
【００４１】
つぎに、請求項（１）の発明の一実施例の実施の形態を、図面を参照しながら説明する。図１及び図２に示すように、まず、メイン電源３０を入れてヒ−タ−電源２８に通電し、タンク４５内に導入されている水の温度を、破砕生ごみを分解する分解微生物の分解能力が最大限発揮される温度にまで昇温させる。
【００４２】
ついで、切換弁開閉動作用モ−タ−５７を一側に動作させると、切換弁５５が反時計方向に回転し、該切換弁５５は、バルブカバ−４７側の中継流入口４９と連通されている破砕生ごみ内部流通路２９の上流側流通路と該破砕生ごみ内部流通路２９の内部流入口２５間の流通空間が繋がった状態となる。
【００４３】
つぎに、水道の水を流しながら、ディスポ−ザ−６９に生ごみを投入し図示を省略した稼動スイッチを入れてディスポ−ザ−６９を動作させると、流入した生ごみは、前記した可動式ハンマ−により側壁に押し付けられ、すりつぶされるようにして生ごみが細かく破砕されて破砕生ごみとなる。
【００４４】
図１、図２、図４及び図９に示すように、この後、該破砕生ごみは、ディスポ−ザ−６９の破砕生ごみ流出口７７、接続部材７５を順次通ってバルブカバ−４７側の中継流入口４９から分解処理装置６７を構成する正面側タンク部材１９の破砕生ごみ内部流通路２９の上流側に流入し該破砕生ごみ内部流通路２９内を流動する。
【００４５】
この後、破砕生ごみは、反対時計方向に回転した切換弁５５により流通方向を規制され、破砕生ごみ内部流通路２９の該切換弁５５側から内部流入口２５を通過した後、ドラム支持部材２３内の流通穴２２、導入筒体１８を順次経由して着床材多方向移動機構１７を構成する回転ドラム３内に流入する。
【００４６】
また、ディスポ−ザ−６９を動作させるのと略同時に、図１乃至図３に示すように、回転ドラム動作用モ−タ−５９を動作させると、回転力が回転力伝達軸６３、回転力伝達歯６１、正面側ドラムカバ−１１に設けられた回転力受動歯１３を順次経由して正面側ドラムカバ−１１に伝達されるため、該正面側ドラムカバ−１１は支持フランジ２１を中心として一側に回転するため、回転ドラム３全体は連動してドラム支持部材２３及び支持ピン３９により支持されつつ回転中心軸線７を中心として一側に回転する。
【００４７】
このため、回転ドラム３内に流入した破砕生ごみは、該回転ドラム３の回転動作により多数の着床材の中に分散接触するので、各着床材に存在し水を介して分解能力が最大限発揮できる温度に加熱されている微生物により分解処理される。
係る分解処理がされた後、図１及び図２に示すように、処理された生ごみは回転ドラム３内に滞留する一方、他は回転ドラム３外に排出され内部流出口２７から一旦切換弁５５により遮断されている破砕生ごみ内部流通路２９の下流側に流入して流通した後、中継流出口５１を通ってタンク４５外に放出される。
【００４８】
前記した一連の破砕生ごみの分解処理をなす当初では、破砕生ごみ内部流通路２９内を流動する破砕生ごみの極一部のみが該破砕生ごみ内部流通路２９の内壁に付着しはじめるが、付着箇所においても十分な流動断面積があるので破砕生ごみのスム−ズな流動は確保される。しかし、前記した一連の破砕生ごみの処理が一定時間継続して実行されると、該内壁に付着する破砕生ごみの付着量が累積的に増大し、破砕生ごみ内部流通路の流動断面積が狭小化する。
【００４９】
このため、破砕生ごみ内部流通路２９中を破砕生ごみがスム−ズに流動できなくなり破砕生ごみの一部しか回転ドラム３内に流入せず前記した分解処理量が急減するといった障害が生ずる。係る状態となれば、図１、図２、図４及び図９に示すように、ティスポ−ザ−６９の前記した動作を停止し、ディスポ−ザ−６９と分解処理装置６７とを連結させたままで、図示を省略した連結ボルト等を取り外し、バルブカバ−４７と正面側タンク部材１９との連結を解消して該バルブカバ−４７を分解処理装置６７から取り外す。
【００５０】
すると、破砕生ごみ流通路２９が外部に露出するので、利用者は、容易に、破砕生ごみが付着している箇所や付着状態を把握可能となる。このため、消費者は、棒等の簡易且つありふれた除去用具を用いて視認により付着している箇所の破砕生ごみを掻き出すといった簡易な作業をなせば、破砕生ごみ流通路２９に付着している破砕生ごみが除去される。
【００５１】
この後、再度、連結ボルト等を取付けてバルブカバ−４７と正面側タンク部材１９とを連結して分解処理装置６７に取付けするのみで、所定のメインテナンス作業が完了するので、利用者は一人で簡易且つ容易に、生ごみ処理装置１を、破砕生ごみの分解処理をなせる状態に復帰させることが可能となる。
【００５２】
【発明の効果】
本発明は以上説明した如く、破砕生ごみ内部流通路を分解処理装置内に取り込み該破砕生ごみ内部流通路に対する破砕生ごみの供給を分解処理装置を構成し脱着自在なバルブカバ−を介して実行することができるといった新規な構成としたものである。係る新規な構成としたことから、破砕生ごみが水分を含有していることと破砕生ごみが流動する破砕生ごみ流通路が湾曲していることを起因として、生ごみ処理装置を一定期間稼動させると、該破砕生ごみ内部流通路に破砕生ごみが付着してスム−ズな流動を妨げ所要のメインテナンス作業が必要となるが、バルブカバ−を分解処理装置から取り外せば破砕生ごみ流通路が外部に露出し利用者は外部から直接観察できるようになるので、利用者は、棒等の簡易な除去手段を用いて手で直接的に破砕生ごみ流通路に付着している破砕生ごみを除去でき、除去後は、取り外したバルブカバ−を分解処理装置に再度取付すれば所要のメインテナンス作業を完了させることができ、簡易迅速に再度生ごみ処理装置を稼動可能とすることができる。また、係る新規な構成としたことから、生ごみを破砕するディスポ−ザ−と分解処理装置間の連結のために要する距離が格段に短縮され、生ごみ処理装置全体の設置スペ−スを極限まで小さくすることができる。
【図面の簡単な説明】
【図１】請求項（１）の発明の一実施例に係る生ごみ処理装置を示した正面図である。
【図２】同実施例に係る生ごみ処理装置を構成する分解処理装置を示した側面図である。
【図３】正面側ドラムカバ−の内方側を示した正面図である。
【図４】正面側タンク部材の外方側を示した正面図である。
【図５】該正面側タンク部材の内方側を示した正面図である。
【図６】該正面側タンクの側方を示した側面図である。
【図７】裏側タンク部材の内方側を示した正面図である。
【図８】タンク本体部を示した縦断面図である。
【図９】切換弁開閉動作用モ−タ−が設けられたバルブカバ−を示した正面図である。
【図１０】ドラム支持部材を示した拡大縦断面図ある。
【符号の説明】
１　　請求項（１）の発明の一実施例に係る生ごみ処理装置
３　　回転ドラム
５　　裏面側ドラムカバ−
１１　正面側ドラムカバ−
１７　着床材多方向移動機構
１９　正面側タンク部材
２９　破砕生ごみ内部流通路
３７　裏側タンク部材
４５　タンク
４７　バルブカバ−
５３　切換弁開閉機構
５５　切換弁
５７　切換弁開閉動作用モ−タ−
５９　回転ドラム動作用モ−タ−
６７　分解処理装置
６９　ディスポ−ザ−
７５　接続部材
【図１】
2004057904.tif 000002
【図２】
2004057904.tif 000003
【図３】
2004057904.tif 000004
【図４】
2004057904.tif 000005
【図５】
2004057904.tif 000006
【図６】
2004057904.tif 000007
【図７】
2004057904.tif 000008
【図８】
2004057904.tif 000009
【図９】
2004057904.tif 000010
【図１０】
2004057904.tif 000011